(57)【要約】【課題】貯湯タンク内の湯水の使用（給湯）がない状態が続くことによる、貯湯タンク下部の湯水温度がシステム停止温度まで上昇、発電停止に至ることを回避するようにできる燃料電池システムを提供することを目的とする。【解決手段】貯湯タンク１０９内の下部の湯水の温度が上昇していて、燃料電池システム１０１が停止温度に達する恐れがある場合に、制御器１０６は、インターネットを介し、通信報知装置１０３に使用者に発電を継続できるようお湯を使うことを促す画像信号を送る、または音声で案内するように信号を送る。使用者が給湯動作を行わなかったまま、所定時間を経過すると、排水手段７１３が動作し、お湯を排出させることによって、貯湯タンク内下部に給水が行われて、貯湯タンク１０９内の下部の湯水の温度が燃料電池システム１０１の停止温度に達することによる発電の停止を回避するようにでき、発電停止の回避により効率的な運転を実行できる。【選択図】図７
2013109901.tif 000002
【特許請求の範囲】
【請求項１】
水素含有ガス及び酸化剤ガスを用いて発電する燃料電池と、
前記燃料電池が発電する際に発生する熱を回収した温水を貯める貯湯タンクと、
前記貯湯タンクの蓄熱量を検知する蓄熱検知器と、
前記燃料電池が自立発電状態か否かを検知する自立発電検知手段と、
制御器と、
を備える燃料電池システムであって、
前記制御器は、前記燃料電池システムが自立発電状態である場合で、かつ、前記蓄熱検知器が満蓄状態より蓄熱量が小さい第１蓄熱量以上であることを検知した場合に、前記貯湯タンク内の温水を排出する排水制御、及び、前記貯湯タンク内の温水の使用を促す報知、及び、前記燃料電池システム外部の装置へ前記貯湯タンク内の温水の使用を促すデータを送信するデータ送信のうちの少なくとも１つの制御を行う、燃料電池システム。
【請求項２】
前記燃料電池システムは、リモコンを備え、
前記報知は、前記リモコンの表示画面に温水の使用を促す表示を行う制御、前記リモコンのスピーカーから温水の使用を促す音声を出力する制御のうちの少なくとも１つの制御を行う、請求項１に記載の燃料電池システム。
【請求項３】
前記データ送信は、燃料電池システム外部の表示装置に温水の使用を促す表示データを送信する制御、燃料電池システム外部のスピーカーに温水の使用を促す音声データを送信する制御、及び、携帯端末に温水の使用を促すデータを送信する制御のうちの少なくとも１つの制御を行う、請求項１に記載の燃料電池システム。
【請求項４】
前記制御器は、前記報知を行った後、所定の時間後に、前記貯湯タンク内の温水を排出する排水する制御を行う、請求項１〜３のいずれか１つに記載の燃料電池システム。
【請求項５】
前記制御器は、前記報知及び前記データ送信を行った後、所定の時間後に、前記貯湯タンク内の温水を排出する排水する制御を行う、請求項４に記載の燃料電池システム。
【請求項６】
前記制御器は、前記報知を行った後、所定の時間後に、前記データ送信を行う、請求項５に記載の燃料電池システム。
【請求項７】
前記燃料電池システムは、前記データ送信を行うか否かを各端末毎に設定できる、請求項１〜６のいずれか１つに記載の燃料電池システム。
【発明の詳細な説明】
【技術分野】
【０００１】
本発明は、発電を行う発電手段と、発電に伴って排出される熱（排熱）を回収する排熱回収手段とを備えた燃料電池システムに関するものである。
【背景技術】
【０００２】
従来、この種の燃料電池システムは、例えば図１１に示す構成が開示されている（例えば、特許文献１参照）。
【０００３】
以下に、特許文献１に示されている燃料電池システムについて説明する。
【０００４】
図１１は、従来の燃料電池システムのブロック図である。図１１に示すように、燃料電池システムは、貯湯タンク１と、一端が貯湯タンク１内下部に連通し途中に燃料電池４の発電時の排熱を回収する熱回収用熱交換器１０を有する熱回収配管２と、貯湯タンク１内の湯水を貯湯タンク１内下部から導入して貯湯タンク１内上部に戻す方向に熱回収配管２内の湯水を循環させる貯湯タンク循環ポンプ３と、貯湯タンク１内下部に連通して貯湯タンク１内の湯水を所定量に保つように給水する給水配管５と、給湯配管６に設けられた機器使用検出手段７と、給湯配管６と給水配管５とを接続する分岐配管８と、給湯配管６の流量を検出する流量センサ９と、貯湯タンク循環ポンプ３とタンク下部湯水温度検出手段１３とリモコン１２と機器使用検出手段７と流量センサ９とに接続され最近で流量センサ９が実質的流量なしを検出してからの経過時間を計測するタイマを有し貯湯タンク循環ポンプ３とリモコン１２の報知手段（表示画面）を制御する運転制御手段１１と、貯湯タンク１内上部の湯水を給湯する給湯配管６と、報知手段（表示画面）を有するリモコン１２と、貯湯タンク１内下部の湯水の温度を検出するタンク下部湯水温度検出手段１３と、を備え、タンク下部湯水温度検出手段１３の温度が所定温度を超えた場合に運転制御手段１１の制御によりリモコン１２の報知手段（表示画面）が使用者に図１１に示すように所定時間内に給湯配管６からの給湯動作を行なうことを促すように構成される。
【０００５】
以上のように構成された燃料電池システムが動作する際、排熱は熱回収用熱交換器１０を通じて、熱回収配管２内の水に吸収される。加熱された湯水は熱回収配管２から貯湯タンク１内の上部に注入して、貯湯タンク内全体の温度が上昇するため、タンク下部湯水温度検出手段１３の温度も上昇する。一方、給湯配管６から給湯動作を行なえば、貯湯タンク１内の湯水が減った分だけ、貯湯タンク１内下部に給水配管５から給水が行われて、貯湯タンク１内の下部の湯水の温度が低下する。
【０００６】
また、以上のように構成された燃料電池システムにおいては、給湯配管６から給湯動作を行わなかった場合、貯湯タンク１内の下部の湯水の温度が上昇していて、このままだとシステム停止温度に達する恐れがある場合に、運転制御手段１１の制御によりリモコン１２の報知手段（表示画面）が使用者に、図１１に示すように所定時間内に給湯配管６からの給湯動作を行なうことを促すので、使用者に貯湯タンク１内の湯水を使用させて、貯湯タンク１内の湯水の使用（給湯）がない状態が続いて貯湯タンク１内の下部の湯水の温度がシステム停止温度に達することによる発電の停止を回避するようにでき、発電停止の回避により効率的な運転を実行できる。
【先行技術文献】
【特許文献】
【０００７】
【特許文献１】特開２０１１―１７４６２６号公報
【発明の概要】
【発明が解決しようとする課題】
【０００８】
しかしながら、前記従来の構成では、貯湯タンク１内の下部の湯水の温度がシステム停止温度に達する恐れがある場合にリモコンを通じて利用者に報知を行っても、利用者が報知に気づかなければ発電の停止を回避することができないという課題があった。
【０００９】
本発明は、前記従来の課題を解決するもので、使用者が外出していた場合や、また在宅中の使用者がリモコンの報知に気付かなかった場合でも、貯湯タンク内の下部の湯水の温度がシステム停止温度まで上昇することを防ぎ、発電停止を回避するようにできる燃料電池システムを提供することを目的とする。
【課題を解決するための手段】
【００１０】
前記従来の課題を解決するために、本発明の燃料電池システムは、水素含有ガス及び酸化剤ガスを用いて発電する燃料電池と、前記燃料電池が発電する際に発生する熱を回収した温水を貯める貯湯タンクと、前記貯湯タンクの蓄熱量を検知する蓄熱検知器と、前記燃料電池が自立発電状態か否かを検知する自立発電検知手段と、制御器と、を備える燃料電池システムであって、前記制御器は、前記燃料電池システムが自立発電状態である場合で、かつ、前記蓄熱検知器が前記満蓄状態より蓄熱量が小さい第１蓄熱量以上であることを検知した場合に、前記貯湯タンク内の温水を排出する排水制御、及び、前記貯湯タンク内の温水の使用を促す報知、及び、前記システム外部の装置へ前記貯湯タンク内の温水の使用を促すデータを送信するデータ送信のうちの少なくとも１つの制御を行う、燃料電池システムである。
【００１１】
これによって、系統電源が停電し、燃料電池システムが非常電源システムとして動作している場合において、使用者がリビングや寝室などに居て、台所のリモコンの報知に気付かなかった場合でも、より確実に貯湯タンク内の下部の湯水の温度がシステム停止温度まで上昇することを防ぎ、発電停止を回避することができる。
【００１２】
また使用者が外出しているときは自動排水手段が動作して、貯湯タンク内下部に給水配管から給水が行われて、貯湯タンク内の下部の湯水の温度が低下することによって、貯湯タンク内の下部の湯水の温度がシステム停止温度まで上昇することを防ぎ、発電停止を回避することができる。
【発明の効果】
【００１３】
本発明の燃料電池システムは、前記従来の課題を解決するもので、系統電源が停電し、燃料電池システムが非常電源システムとして動作している場合において、使用者がリビングや寝室などに居て、台所のリモコンの報知に気付かなかった場合でも、確実に貯湯タンク内の下部の湯水の温度がシステム停止温度まで上昇することを防ぎ、発電停止を回避することができる。
【００１４】
特に使用者が外出しているときは自動排水手段が動作するとともに貯湯タンク内下部に給水配管から給水が行われるため、貯湯タンク内の下部の湯水の温度を低下させ、貯湯タンク内の下部の湯水の温度がシステム停止温度まで上昇することを防ぎ、発電停止を回避することができる。
【図面の簡単な説明】
【００１５】
【図１】本発明の実施の形態１における燃料電池システムの概略構成図
【図２】同実施の形態の燃料電池システムにおける使用者に特定の行動を促す手順を示すフローチャート
【図３】同実施の形態の燃料電池システムにおける使用者に特定の行動を促すリモコンの画面を示す説明図
【図４】非自立運転時使用者に特定の行動を促す報知機能の入／切設定画面を示す説明図
【図５】自立運転時使用者に特定の行動を促す報知機能の入／切設定画面を示す説明図
【図６】自立運転時使用者に特定の行動を促す報知機能の入／切設定画面を示す説明図
【図７】本発明の実施の形態２における燃料電池システムの概略構成図
【図８】同実施の形態の燃料電池システムにおける使用者に特定の行動を促す手順を示すフローチャート
【図９】同実施の形態の燃料電池システムにおける使用者に特定の行動を促すメッセージＥの画面を示す説明図
【図１０】同実施の形態の燃料電池システムにおける使用者に特定の行動を促すメッセージＦの画面を示す説明図
【図１１】従来の燃料電池システムのブロック図
【発明を実施するための形態】
【００１６】
第１の発明は、水素含有ガス及び酸化剤ガスを用いて発電する燃料電池と、前記燃料電池が発電する際に発生する熱を回収した温水を貯める貯湯タンクと、前記貯湯タンクの蓄熱量を検知する蓄熱検知器と、前記燃料電池が自立発電状態か否かを検知する自立発電検知手段と、制御器と、備える燃料電池システムであって、前記制御器は、前記燃料電池システムが自立発電状態である場合で、かつ、前記蓄熱検知器が前記満蓄状態より蓄熱量が小さい第１蓄熱量以上であることを検知した場合に、前記貯湯タンク内の温水を排出する排水制御、及び、前記貯湯タンク内の温水の使用を促す報知、及び、前記システム外部の装置へ前記貯湯タンク内の温水の使用を促すデータを送信するデータ送信のうちの少なくとも１つの制御を行う、燃料電池システムである。
【００１７】
これにより、系統電源が停電し、燃料電池システムが非常電源システムとして動作している場合において、貯湯タンク内の下部の湯水の温度がシステム停止温度まで上昇することを防ぎ、発電停止を回避することができる。
【００１８】
また使用者が外出しているときは、自動排水手段が動作して、貯湯タンク内下部に給水配管から給水が行われて、貯湯タンク内の下部の湯水の温度が低下することによって、貯湯タンク内の下部の湯水の温度がシステム停止温度まで上昇することを防ぎ、発電停止を回避することができる。
【００１９】
第２の発明は、特に、第１の発明において、前記燃料電池システムは、リモコンを備え、前記報知は、前記リモコンの表示画面に温水の使用を促す表示を行う制御、前記リモコンのスピーカーから温水の使用を促す音声を出力する制御のうちの少なくとも１つの制御を行うものである。
【００２０】
これにより、燃料電池システムがリモコン装置の画面やスピーカーを通じ、使用者に温水の使用を促すことで、使用者が給湯動作を行う。貯湯タンク内下部に給水配管から給水が行われて、貯湯タンク内の下部の湯水の温度が低下するため、貯湯タンク内の下部の湯水の温度がシステム停止温度まで上昇することを防ぎ、発電停止を回避することができる。
【００２１】
第３の発明は、特に、第１の発明において、前記データ送信は、燃料電池システム外部の表示装置に温水の使用を促す表示データを送信する制御、燃料電池システム外部のスピーカーに温水の使用を促す音声データを送信する制御、及び、携帯端末に温水の使用を促
すデータを送信する制御のうちの少なくとも１つの制御を行うものである。
【００２２】
これにより、使用者がリビングや寝室などに居て、台所のリモコンの報知に気付かなかった場合でも、制御器がシステム外部の装置、例えばテレビや携帯電話にデータ送信することで、より確実に使用者の居場所に届ける。使用者が給湯動作を行うことで、貯湯タンク内下部に給水配管から給水が行われて、貯湯タンク内の下部の湯水の温度が低下する。貯湯タンク内の下部の湯水の温度がシステム停止温度まで上昇することを防ぎ、発電停止を回避することができる。
【００２３】
第４の発明は、特に、第１から第３のいずれかの発明において、前記制御器は、前記報知を行った後、所定の時間後に、前記貯湯タンク内の温水を排出する排水する制御を行うものである。
【００２４】
これにより、系統電源が停電し、燃料電池システムが非常電源システムとして動作している場合において、使用者が外出しても、また使用者がリビングや寝室などに居て、台所のリモコンの報知に気付かなかった場合でも、自動排水手段が動作して、貯湯タンク内下部に給水配管から給水が行われて、貯湯タンク内の下部の湯水の温度が低下することによって、貯湯タンク内の下部の湯水の温度がシステム停止温度まで上昇することを防ぎ、発電停止を回避することができる。
【００２５】
第５の発明は、特に、第４の発明において、前記制御器は、前記報知及び前記データ送信を行った後、所定の時間後に、前記貯湯タンク内の温水を排出する排水する制御を行うものである。
【００２６】
これにより、使用者がリビングや寝室などに居て、台所のリモコンの報知に気付かなかった場合でも、制御器がシステム外部の装置、例えばテレビや携帯電話にデータ送信することで、より確実に使用者の居場所に届ける。使用者が給湯動作を行うことで、貯湯タンク内下部に給水配管から給水が行われて、貯湯タンク内の下部の湯水の温度が低下する。貯湯タンク内の下部の湯水の温度がシステム停止温度まで上昇することを防ぎ、発電停止を回避することができる。使用者が在宅する場合において、自ら給湯動作を行うことで、第４の発明の自動排水措置より、燃料電池のエネルギー利用率が向上する。
【００２７】
第６の発明は、特に、第５の発明において、前記制御器は、前記報知を行った後、所定の時間後に、前記データ送信を行うものである。
これにより、前記リモコン報知を行って、所定の時間内に、使用者が前記リモコン報知に気付き、給湯動作行なった場合、貯湯タンク内の下部の湯水の温度が低下して、発電停止を回避できた後、外部の装置、例えばテレビや携帯電話にデータ送信することを防ぎ、利便性が高まる。
【００２８】
第７の発明は、特に、第１から第６のいずれかの発明において、前記燃料電池システムは、前記データ送信を行うか否かを端末毎に設定できるものである。
これにより、使用者が温水の使用を促すデータ送信を行うか否かを、外部の表示装置と外部のスピーカーと携帯端末と、端末毎に設定することで、使用者が好み装置を選択でき、利便性が高まる。
【００２９】
（実施の形態１）
以下に、本発明の実施の形態１における燃料電池システムについて、図面を用いて説明する。なお、この実施の形態によって本発明が限定されるものではない。
【００３０】
図１は、本発明の実施の形態１における燃料電池システムの概略構成図である。図１に
示すように本実施の形態の燃料電池システム１０１は、燃料電池装置１０５と、蓄電池１０４と、リモコン１０３と、制御器１０６と、自立発電検知手段１０７と、貯湯タンク１０９とから構成される。
【００３１】
ここで、燃料電池装置１０５において用いられる燃料電池の種類は限定されないが、本実施の形態では、固体高分子型燃料電池（以下、ＰＥＦＣと略す）が用いられている。ここでは図示及び説明を省略するが、ＰＥＦＣを備えた燃料電池システムは、従来のシステムと同様の構成を有しており、供給された燃料ガスを改質しＣＯ濃度が低く水素に富んだガス（以下、発電燃料ガスと呼ぶ）を生成する水素生成手段と、この発電燃料ガスと酸化剤ガスを反応させて発電を行なうＰＥＦＣとを備えている。
【００３２】
燃料電池装置１０５には燃料電池システム全般の運転を制御する制御器１０６を設けられているが、燃料電池装置１０５以外の位置に設けても構わない。制御器１０６は、マイコン等のコンピュータによって構成されている。ここでは図示及び説明を省略するが、リモコン１０３は制御器１０６と連結している。リモコン１０３は入力部と出力部を有し、出力部は画像表示部と音報知部と、少なくとも一つ以上の報知手段を備えている。また、使用者が入力部を利用しながら、燃料電池システム１０１の各機能を設定することができる。さらにリモコン１０３は、制御器１０６から伝達される燃料電池システムの停止予測情報を受信できる構成となっており、画像表示部は、制御器１０６から出力される画像信号に応じた画像を表示できる構成である。音報知部は制御器１０６から出力される音信号に応じた警告音を発生可能である。
【００３３】
通信報知装置１１２は通信手段１０８を有し、通信手段１０８を介して制御器１０６と連結している。ここでは図示及び説明を省略するが、通信報知装置１１２は、画像（光）表示部と音報知部と、少なくとも一つ以上の報知手段を備えている。通信手段１０８の種類は限定されないが、例えばこの場合には、インターネットが用いられている。インターネット以外、例えば携帯電話網や、特定省電力無線通信や、ブルートゥース（Ｂｌｕｅ  Ｔｏｏｔｈ（登録商標））といった専用通信手段でも構わない。
【００３４】
通信報知装置１１２は、制御器１０６から伝達される燃料電池システムの停止予測情報が伝達可能に構成されており、また、画像（光）表示部は、制御器１０６から出力される画像（光）信号に応じた画像（光）を表示可能としている。音報知部は制御器１０６から出力される音信号に応じた警告音を発生可能としている。ここで用いられる通信報知装置１１２は、例えば、通信機能を備える家庭のテレビや、表示画面と着信ベルを有する携帯電話が用いられている。なお、これら以外に、通信手段を有し、画像表示部／音報知部／光報知部のうち少なくとも一つ以上の報知手段を備えている家庭電器や携帯端末でも構わない。
【００３５】
蓄電池１０４は、燃料電池装置１０５の発電電力が家庭負荷１１１を上回る場合、余剰電力を蓄電池１０４に充電するものである。また、燃料電池１０５の発電電力が家庭負荷１１１を下回る場合、蓄電池１０４が充電された分を放電し、家庭負荷１１１に電力の不足分を供給する。
【００３６】
一端が商用系統電源１０２と連結した自立発電検知手段１０７は、商用系統電源１０２が停電しているか否かを検知する装置である。ここで、自立発電検知手段１０７としては、例えば、蓄電池から燃料電池システムへ電力が供給されていることを検知する電力検知手段等が挙げられる。
【００３７】
貯湯タンク１０９は燃料電池装置１０５と接続され、発電時に発生する排熱を市水で満たされたタンク内の湯水を循環させて回収し、貯留する装置である。蓄熱検知器１１０は
貯湯タンク１０９内下部の湯水の温度を検出する装置である。
【００３８】
以下に、本実施の形態の燃料電池システムの動作・作用について、図１〜６を用いて説明する。図２は、同実施の燃料電池システムにおける使用者に特定の行動を促す手順を示すフローチャートである。図３は、同実施の形態の燃料電池システムにおける使用者に特定の行動を促すリモコンの画面を示す説明図である。図４は、非自立運転時使用者に特定の行動を促す報知機能の入／切設定画面を示す説明図である。図５、６は、自立運転時使用者に特定の行動を促す報知機能の入／切設定画面を示す説明図である。
【００３９】
本実施の形態においては、使用者が温水の使用を促すデータ送信を行うか否かを、外部の表示装置／外部のスピーカー／携帯端末といった端末毎に設定することで、使用者の好みに応じて装置を選択することができ、利便性が高まる。
【００４０】
次に、燃料電池システム１０１が自立運転した場合を説明する。タンク下部の湯水を検出する蓄熱検知器１１０がタンク下部の水温がリモコン報知温度Ａを超えたと判断すると（Ｓ２０１をＹｅｓ側に分岐）、制御器１０６は、リモコン１０３の画像表示部に図３に示すようなメッセージＥを送ることで使用者に発電を継続できるようお湯を使うことを促す（Ｓ２０２）。なお、このとき、音声で案内するように構成しても良い。次に、自立検知手段１０７がシステムの自立発電の有無を判断する（Ｓ２０３）。自立発電が行われていると判断した場合、所定時間Ｇ（例えば、３０分）が経過しているかを判断する（Ｓ２０４）。所定時間Ｇを経過しても使用者が給湯動作を行なわなかった場合においては、制御器１０６は、インターネットを介し、通信報知装置１０３の家庭テレビの画像表示部（または通信報知装置１１２の携帯電話）にメッセージＦを送り、使用者に発電を継続できるようお湯を使うことを促す（Ｓ２０５）。なお、このとき、音声で案内するように構成しても良い。
【００４１】
Ｓ２０５で、テレビや携帯電話などで報知し使用者が給湯動作を行うと、貯湯タンク内下部に給水配管から給水が行われて、貯湯タンク内の下部の湯水の温度が低下し、システム停止温度Ｃを下回る（Ｓ２０６をＮｏ側に分岐）。さらに、タンク下部湯水温度を検出する蓄熱検知器１１０によりタンク下部の水温が報知温度Ａ以下であることを検知すると（Ｓ２０１をＮｏ側に分岐）、制御器１０６が報知手段１０３リモコンに表示画面を止めるよう信号を送るとともに、通信報知装置１１２の家庭テレビ（または通信報知装置１１２の携帯電話）に表示画面を止めるよう信号を送る（Ｓ２０８）。
【００４２】
Ｓ２０５で、テレビや携帯電話などで報知しても、使用者給湯動作を行わず、タンク下部湯水温度を検出する蓄熱検知器１１０によりタンク下部の水温がシステム停止温度Ｃを超えた場合（Ｓ２０６をＹｅｓ側に分岐）、燃料電池システムが発電を停止する（Ｓ２０７）。
【００４３】
以上のように、本実施の形態においては、使用者がリビングや寝室などに居て、台所のリモコンの報知に気付かなかった場合でも、制御器がシステム外部の装置、例えばテレビや携帯電話にデータ送信することで、より確実に使用者の居場所に届ける。使用者が給湯動作を行うことで、貯湯タンク内下部に給水配管から給水が行われて、貯湯タンク内の下部の湯水の温度が低下する。貯湯タンク内の下部の湯水の温度がシステム停止温度まで上昇することを防ぎ、発電停止を回避することができる。
【００４４】
（実施の形態２）
以下に、本発明の実施の形態２における燃料電池システムについて、図面を用いて説明する。同様の構成要素については同じ符号を付け、説明を省略する。
【００４５】
図７は、本発明の実施の形態２における燃料電池システムの概略構成図である。図１との違いは、排水手段７１３とを備えていることである。ここで、制御器１０６が家庭内のリモコン１０３に図９に示すようなメッセージＥの報知を行ってから、所定時間（例えば、ここでは３０分が用いられる）経過した後でも、給湯動作を行わなかった場合、制御器１０６が通信報知装置１１２のテレビや携帯電話に図１０に示すようなメッセージＦの報知を送る。それから貯湯タンク内下部の水温が排水温度Ｂを超えると、制御器１０６が排水手段７１３にお湯を排出する信号を送る。その後、排水手段７１３が動作し、排水口７１４からお湯を排出させる。燃料電池システム１０１において用いられる排水手段７１３の種類は限定されないが、例えばこの場合には、排水口７１４の自動排水弁が用いられている。
【００４６】
以下に、本実施の形態の燃料電池システムの動作・作用について、図４〜９を用いて説明する。図４は、非自立運転時使用者に特定の行動を促す報知機能の入／切設定画面を示す説明図である。
【００４７】
図８は、同実施の形態の燃料電池システムにおける使用者に特定の行動を促す手順を示すフローチャートである。図９は、同実施の形態の燃料電池システムにおける使用者に特定の行動を促すメッセージＥの画面を示す説明図である。図１０は、同実施の形態の燃料電池システムにおける使用者に特定の行動を促すメッセージＦの画面を示す説明図である。
【００４８】
燃料電池システム１０１が自立運転した場合を説明する。タンク下部の湯水を検出する蓄熱検知器がタンク下部の水温がリモコン報知温度Ａを超えたと判断すると（Ｓ８０１をＹｅｓ側に分岐）、制御器１０６は、リモコン１０３の画像表示部に図９を示すような画像と信号を送り、使用者に発電を継続できるようお湯を使うことを促す（Ｓ８０２）。なお、このとき、音声で案内するように構成しても良い。次に、自立発電検知手段１０７がシステムの自立発電を判断する（Ｓ８０３）。自立発電が行われていると判断した場合、所定時間（例えば、３０分）が経過しているかを判断する（Ｓ８０４）。所定時間Ｇを経過しても使用者が給湯動作を行なわなかった場合においては、制御器１０６は、インターネットを介し、通信報知装置１０３の家庭テレビの画像表示部（または通信報知装置１１２の携帯電話）に図１０に示すような画像信号を送り、使用者に発電を継続できるようお湯を使うことを促す（Ｓ８０５）。なお、このとき、音声で案内するように構成しても良い。使用者が外出していて、給湯動作を行わなかった結果、貯湯タンク内下部の湯水温度が自動排水開始温度Ｂを超えた場合（Ｓ８０６をＹｅｓ側に分岐）、自動排水手段７１３が作動し、給湯を排出する（Ｓ８０７）。その結果、貯湯タンク内下部に給水配管から給水が行われて、貯湯タンク内の下部の湯水の温度が低下する。タンク下部湯水温度を検出する蓄熱検知器１１０によりタンク下部の水温が報知温度Ａ以下のことを検知すると（Ｓ８０１をＮｏ側に分岐）、制御器１０６が報知手段１０３リモコンに表示画面を止めるよう信号を送るとともに、制御器が通信報知装置１１２の家庭テレビ（または通信報知装置１１２の携帯電話）に表示を止めるよう信号を送る（Ｓ８０８）。（Ｓ８０８）。一方、とともに、  以上のように、本実施の形態においては、系統電源が停電し、燃料電池システムが非常電源システムとして動作している場合において、使用者が外出すれば、自動排水手段が動作して、貯湯タンク内下部に給水配管から給水が行われて、貯湯タンク内の下部の湯水の温度が低下することによって、貯湯タンク内の下部の湯水の温度がシステム停止温度まで上昇することを防ぎ、発電停止を回避することができる。
【産業上の利用可能性】
【００４９】
以上のように、本発明にかかる燃料電池システムは、系統電源が停電し、燃料電池システムが非常電源システムとして動作している場合において、使用者がリビングや寝室などに居て、台所のリモコンの報知に気付かなかった場合でも、制御器がシステム外部の装置
、例えばテレビや携帯電話にデータ送信することで、より確実に使用者の居場所に届ける。使用者が給湯動作を行うことで、貯湯タンク内下部に給水配管から給水が行われて、貯湯タンク内の下部の湯水の温度が低下する。貯湯タンク内の下部の湯水の温度がシステム停止温度まで上昇することを防ぎ、発電停止を回避することができる。
【００５０】
また使用者が外出すれば、自動排水手段が動作して、貯湯タンク内下部に給水配管から給水が行われて、貯湯タンク内の下部の湯水の温度が低下することによって、貯湯タンク内の下部の湯水の温度がシステム停止温度まで上昇することを防ぎ、発電停止を回避することができる。
【符号の説明】
【００５１】
１０１  燃料電池システム
１０２  商用系統電源
１０３  リモコン
１０４  蓄電池
１０５  燃料電池装置
１０６  制御器
１０７  自立発電検知手段
１０８  通信手段
１０９  貯湯タンク
１１０  蓄熱検知器
１１１  家庭負荷
１１２  通信報知装置
７１３  排水手段
７１４  排水口
【図１】
2013109901.tif 000003
【図２】
2013109901.tif 000004
【図３】
2013109901.tif 000005
【図４】
2013109901.tif 000006
【図５】
2013109901.tif 000007
【図６】
2013109901.tif 000008
【図７】
2013109901.tif 000009
【図８】
2013109901.tif 000010
【図９】
2013109901.tif 000011
【図１０】
2013109901.tif 000012
【図１１】
2013109901.tif 000013